(57)【要約】【課題】例えばプレゼンテーションとは関わりのない他の情報が併せて表示されても、こうした情報が提供されてしまうことを防止する。【解決手段】表示の対象となる画像を取得し、当該取得した画像の少なくとも一部が、予め定められた対象外画像であるか否かを判断し、記録または提供するべき画像であるか否かを決定する。この決定の結果、記録または提供するべき画像であると決定された場合に、取得した画像を記録、または提供する装置である。【選択図】図１
2008252725.tif 000002
【特許請求の範囲】
【請求項１】
提供の対象となる画像を受け入れる手段と、
前記受け入れた画像の少なくとも一部が、予め定められた画像であるか否かを判断する判断手段と、
前記判断手段の判断結果に基づいて、前記予め定められた画像でないと判断された場合に、当該画像を提供する提供手段と、
を含むことを特徴とする情報提供装置。
【請求項２】
前記提供手段は、前記判断手段の判断結果に基づいて、前記受け入れた画像が前記予め定められた画像であると判断した場合には、当該画像を提供しないことを特徴とする請求項１に記載の情報提供装置。
【請求項３】
前記提供手段は、前記判断手段の判断結果に基づいて、前記受け入れた画像が前記予め定められた提供可能な画像であると判断した場合には、直前に提供していた画像の提供を続けることを特徴とする請求項１に記載の情報提供装置。
【請求項４】
コンピュータを、
提供の対象となる画像を受け入れる手段と、
前記受け入れた画像の少なくとも一部が、予め定められた画像であるか否かを判断する判断手段と、
前記判断手段の判断結果に基づいて、提供可能な画像であると判断された場合に、当該画像を提供する提供手段と、
して機能させることを特徴とするプログラム。
【請求項５】
提供の対象となる画像を受け入れる手段と、
当該画像を受け入れたときに、その少なくとも一部が、予め定められた画像であるか否かを判断する判断手段と、
前記判断手段の判断結果に基づいて、前記予め定められた画像でないと判断された場合に、当該画像を提供する提供手段と、
を含むことを特徴とする情報提供装置。
【請求項６】
利用者の指定した画像を、提供の対象として出力する出力装置と、
前記出力装置が出力する画像を受け入れて、当該受け入れた画像の少なくとも一部が、予め定められた画像であるか否かを判断し、当該判断の結果に基づいて、前記予め定められた画像でないと判断された場合に、当該画像を提供する画像提供装置と、
を含むことを特徴とする情報提供システム。
【発明の詳細な説明】
【技術分野】
【０００１】
本発明は、情報提供システム、情報提供装置、及びプログラムに関する。
【背景技術】
【０００２】
近年の企業活動では、プレゼンテーションソフトウエアによるスライドショーを用いた情報の共有が活発に行われている。
【０００３】
特許文献1には、インターネット上の掲示板システムにおいて、不適切な画像が投稿された状態になることを防止するための装置が開示されている。
【特許文献１】特開２００６−２９３４５５号公報
【発明の開示】
【発明が解決しようとする課題】
【０００４】
プレゼンテーションが行われた後に後に画像と音声とを再生することができるようにしたシステムがある。
【０００５】
そのようなプレゼンテーションソフトウエアでは、後に再生するとプレゼンテーションとは関わりのない他の情報が併せて再生されてしまうことがある。
【課題を解決するための手段】
【０００６】
請求項１記載の発明は、情報提供装置であって、提供の対象となる画像を受け入れる手段と、前記受け入れた画像の少なくとも一部が、予め定められた画像であるか否かを判断する判断手段と、前記判断手段の判断結果に基づいて、提供可能な画像であると決定された場合に、当該画像を提供する提供手段と、を含むこととしたものである。
【０００７】
請求項２記載の発明は、請求項１記載の情報提供装置であって、前記提供手段は、前記決定の結果、提供可能な画像であると判断されなかった場合には、予め定められた画像を提供することとしたものである。
【０００８】
請求項３記載の発明は、請求項１に記載の情報提供装置であって、前記提供手段は、前記決定の結果、提供可能な画像であると決定されなかった場合には、直前に提供していた画像の提供を続けることとしたものである。
【０００９】
請求項４記載の発明は、プログラムであって、コンピュータを、提供の対象となる画像を受け入れる手段と、前記受け入れた画像の少なくとも一部が、予め定められた画像であるか否かを判断する決定手段と、前記判断手段の判断結果に基づいて、提供可能な画像であると決定された場合に、当該画像を提供する提供手段と、して機能させるものである。
【００１０】
請求項５記載の発明は、情報提供装置であって、提供の対象となる画像を受け入れる手段と、当該画像を受け入れたときに、その少なくとも一部が、予め定められた画像であるか否かを判断する判断手段と、前記判断手段の判断結果に基づいて、前記予め定められた画像でないと判断された場合に、当該画像を提供する提供手段と、を含むこととしたものである。
【００１１】
請求項６記載の発明は、情報提供システムであって、利用者の指定した画像を、提供の対象として出力する出力装置と、前記出力装置が出力する画像を受け入れて、当該受け入れた画像の少なくとも一部が、予め定められた画像であるか否かを判断し、当該判断の結果に基づいて、前記予め定められた画像でないと判断された場合に、当該画像を提供する画像提供装置と、を含むこととしたものである。
【発明の効果】
【００１２】
請求項１，４，５，６に記載の発明によると、画像を提供する際に、その少なくとも一部が予め定められた画像に合致しているか否かによって、提供をするか否かを制御するので、例えばプレゼンテーションとは関わりのない情報を含む画像が取得されても、かかる情報が提供されることを防止できる。
【００１３】
請求項２記載の発明によると、取得した画像の少なくとも一部が画像に合致している場合は、予め定められた画像を、代わりに提供できる。
【００１４】
請求項３記載の発明によると、提供された画像の少なくとも一部が画像に合致している場合は、それまでの提供状態を維持させることができる。
【発明を実施するための最良の形態】
【００１５】
本発明の第１の実施の形態に係る情報記録装置について図面を参照しながら説明する。本実施の形態の情報記録装置１は、図１に例示するように、制御部１１、記憶部１２、及びインタフェース部（Ｉ／Ｆ部）１３を含んで構成されている。また、この情報記録装置１は、パーソナルコンピュータ２等に接続される。
【００１６】
制御部１１は、マイクロコンピュータなどであり、プログラムを記憶しており、当該記憶しているプログラムに従って動作する。このプログラムは、ＣＤ−ＲＯＭやＤＶＤ−ＲＯＭなどのコンピュータ可読な記録媒体に格納された状態で提供されてもよい。こうした記録媒体に格納された状態で提供される場合は、当該媒体から読み出されたプログラムがマイクロコンピュータに複写されて格納される。
【００１７】
本実施の形態では、この制御部１１が、パーソナルコンピュータ２がディスプレイや、外部のプロジェクタなどに対して出力する画像を取得する。そして当該取得した画像が予め定めた画像であるか否かを判断して、記録するべき画像であるか否かを決定する。制御部１１は、この決定に従って、記録するべき画像と決定した画像を選択的に記録する。なお、本実施の形態においては、マイクなどによってパーソナルコンピュータ２の利用者の発した音声を取り込んで、当該音声を画像とともに記録することとする。この制御部１１の動作については、後に詳しく述べる。
【００１８】
記憶部１２は、制御部１１から入力される指示によって、画像や音声などの情報を記録する。本実施の形態では、図２に示すように、画像（Ｖ）と、当該画像を取得した日時（Ｄ）とを関連づけて記録しており、また音声データ（Ａ）を記録している。音声データは、音声信号を所定の形式で符号化した情報であり、例えばＭＰＥＧ（Motion Picture Experts Group）によって定められたフォーマット（ＭＰ３など）がある。各画像や音声のデータは、取得した順を表す情報に関連づけられている。ここでは、各画像や、画像の表示区間に対応する音声データは、それぞれ個別のファイルとして保持され、そのファイル名が取得順を表す連番に基づいて決められているものとする。
【００１９】
Ｉ／Ｆ部１３は、本実施の形態の情報記録装置１と、パーソナルコンピュータ２とを接続するためのインタフェース回路であり、例えばＵＳＢ（Universal Serial Bus）である。情報記録装置１は、このＩ／Ｆ部１３を介して、パーソナルコンピュータ２にて出力される画像を取得することになる。このために、パーソナルコンピュータ２側では、表示のためにディスプレイや、外部のプロジェクタなどに出力する画像を、ＵＳＢを介して情報記録装置１へ出力するプログラムが実行されているものとする。
【００２０】
なお、ここでは、情報記録装置１がパーソナルコンピュータ２と別体として構成されている例を示しているが、これらは一体的であってもよい。この場合、パーソナルコンピュータ２のＣＰＵなどが、本実施の形態の情報記録装置１の制御部１１として動作することとしてもよい。また、この場合、パーソナルコンピュータ２のメモリを本実施の形態の情報記録装置１の記憶部１２として動作させてもよいし、例えば記録の対象となる情報を、メモリカードなど外部のメモリに格納することとして、当該外部メモリを本実施の形態の情報記録装置１の記憶部１２として動作させてもよい。この場合、制御部１１は、パーソナルコンピュータ２がディスプレイや、外部のプロジェクタなどに対して出力する画像を取得する代わりに、利用者の指示などによって外部に出力するべき画像を取得して、本実施の形態の情報記録装置１の制御部１１としての動作を行うこととなる。
【００２１】
また別の例では、このＩ／Ｆ部１３は、映像信号の入出力端子であり、パーソナルコンピュータ２の映像出力端子と、プロジェクタなど外部の機器の映像入力端子とを備える。この場合、情報記録装置１は、パーソナルコンピュータ２側が出力する映像の信号から、表示の対象となった画像を取得する。そして、当該映像の信号をそのままプロジェクタなど外部の機器の映像入力端子へ供給する。
【００２２】
パーソナルコンピュータ２には、一般的なプレゼンテーションソフトウエアがインストールされており、スライドショーに係る画像を出力できるようになっている。このパーソナルコンピュータ２は、例えばウィンドウズ（登録商標）などのオペレーティングシステムに基づいて動作しており、データをウィンドウと呼ばれる領域ごとに分けて表示可能になっている。
【００２３】
すなわち、プレゼンテーションを行う利用者は、当初は、プレゼンテーションソフトウエアを起動するために、スライドショーに関わる情報を呼び出すための操作を行う。この操作の間、パーソナルコンピュータ２は、例えば図３（ａ）に示すように、種々のアイコン（Ｊ）を含む背景や、他のアプリケーションのデータ（電子メールの受信画面など）を含むウィンドウＷを表示している。パーソナルコンピュータ２は、また図３（ｂ）に示すように、プレゼンテーションの内容であるデータを表示するウィンドウＷ′をこれらに併せて表示している。
【００２４】
プレゼンテーションを開始する指示が行われると、パーソナルコンピュータ２は、スライドショーの内容だけを表示する（フルスクリーン表示）ようになる（図３（ｃ））。しかし、スライドショーの終了後などにおいては、また図３（ａ）や図３（ｂ）に示すような画面を表示することとなる。
【００２５】
本実施の形態の情報記録装置１は、制御部１１のソフトウエア的な処理によって機能的には、図４に示すように、対象外画像登録部２１と、対象外画像保持部２２と、画像・音声取得部２３と、記録可否決定部２４と、画像記録部２５と、音声記録部２６とを含んで構成される。
【００２６】
対象外画像登録部２１は、Ｉ／Ｆ部１３を介して入力される画像を対象外画像として取得する。この対象外画像登録部２１は、例えば、対象外画像として記録するべき旨の指示とともに入力される画像を対象外画像として、対象外画像保持部２２に保持させる。一例として、パーソナルコンピュータ２が、フルスクリーン表示となるまでの間、画像（図３（ａ）や図３（ｂ）に示した画像）を出力するとともに、対象外画像として記録するべき旨の指示を出力するようにしておけばよい。さらにパーソナルコンピュータ２において、出力している画像のうち、利用者の指示によって選択された範囲を、対象外画像として記録するべき旨の指示を出力してもよい。
【００２７】
このとき、対象外画像登録部２１は、当該選択された範囲を表す座標情報とともに、取得した画像を、対象外画像として、対象外画像保持部２２に保持させる。
【００２８】
また、別の例では、本実施の形態の情報記録装置１は、図示しないスイッチなどを備えてもよい。そして、対象外画像登録部２１は、このスイッチが押下された状態にある間に取得した画像を対象外画像として対象外画像保持部２２に保持させる。
【００２９】
対象外画像保持部２２は、記憶部１２内に、対象外画像を保持する。ここで保持する対象外画像は複数あっても構わない。
【００３０】
画像・音声取得部２３は、パーソナルコンピュータ２が出力する画像や、マイクなどで拾われた音声信号のデータを受け入れる。そして、音声信号のデータを音声記録部２６に出力する。また、入力されている画像を所定のタイミングごとに取得して、記録可否決定部２４に出力する。
【００３１】
ここで取得するタイミングは、例えば、入力されている画像の変化を検出し、当該変化の量（値が変化した画素の数、または当該画素の数が画面全体の画素に占める割合）が予め定められたしきい値を超えたタイミングごととしてもよい。
【００３２】
画像・音声取得部２３は、画像を取得したタイミングで、画像を取得したことを表す信号を音声記録部２６に出力してもよい。
【００３３】
記録可否決定部２４は、取得された画像の入力を受け入れると、記録の可否を定める処理を開始する。この処理では、記録可否決定部２４は、まず図５に示すように、記録除外変数Ｆを「偽（false）」に初期化する（Ｓ１）。そして取得した画像と、対象外画像保持部２２に保持されている対象外画像とを比較する（Ｓ２）。この処理Ｓ２における処理の詳しい内容は後に述べる。なお、対象外画像保持部２２に複数の対象外画像が保持されている場合は、そのそれぞれと比較する。
【００３４】
ここで、取得した画像の少なくとも一部が、対象外画像に一致する場合は、記録除外変数Ｆを「真（true）」に設定し（Ｓ３）、画像を画像記録部２５に出力する（Ｓ４）。また、取得した画像の少なくとも一部が、対象外画像に一致すると判断されない場合は、記録除外変数Ｆを「偽」に設定したまま、処理Ｓ４に移行して、画像を画像記録部２５に出力する。
【００３５】
記録可否決定部２４における取得した画像と、対象外画像との比較は、例えば次のようにして行われる。すなわち記録可否決定部２４は、取得した画像と、比較の対象となる対象外画像とを、それぞれＮ×Ｍ個のブロックに分割する。そして、記録可否決定部２４は、取得した画像と、比較の対象となる対象外画像との対応するブロック内の画素の値が一致しているか否かを判定する。ここで画素値が一致している画素の数をカウントし、ブロック内の画素数に対してカウントされた画素の数の割合が予め定めた割合を超えている場合に一致していると判定することとすればよい。なお、この割合は１００％、すなわち完全一致の場合に一致していると判定するようにしてもよい。
【００３６】
記録可否決定部２４は、Ｎ×Ｍ個のブロックのうち、一致すると判定されたブロックがいくつあるかをカウントしておく。そして、当該一致すると判定されたブロックの数が、Ｎ×Ｍ個のうちどの程度の割合であったかを演算する。そしてこの演算によって得た割合が、予め定められたしきい値を超える場合に、取得した画像の少なくとも一部が、対象外画像に一致すると判定する。
【００３７】
なお、比較の対象となる対象外画像が、選択された範囲を表す座標情報とともに保持されている場合は、対象外画像のうち、当該座標情報で表される部分を抽出する。また取得した画像のうち、当該座標情報で表される部分を抽出する。そしてこれら抽出によって得られた部分的な画像同士を比較することになる。この比較においても、複数のブロックに分割して、ブロックに含まれる画素値のうち同一の値となっている画素の数によってブロックごとに一致・不一致を判断してもよい。そして、一致していると判断されるブロックの数、または割合によって抽出によって得られた部分的な画像が一致しているか否かを判定すればよい。この場合は、抽出によって得られた部分的な画像が一致しているときに、取得した画像の少なくとも一部が、対象外画像に一致すると判定することになる。
【００３８】
画像記録部２５は、記録可否決定部２４から画像の入力を受けると、図６に示す処理を開始する。なお、画像記録部２５は、情報記録装置１がパーソナルコンピュータ２に接続されたときなど、処理の開始前に、前回記録除外変数Ｐを「偽（false）」に初期化しておく。画像記録部２５は、図６の処理を開始すると、記録除外変数Ｆを参照して、「真」であるか否かを判断する（Ｓ１１）。そして記録除外変数Ｆが「真」であると、さらに前回記録除外変数Ｐが「真」であるか否かを判断する（Ｓ１２）。ここで、前回記録除外変数Ｐが「真」であると、音声記録部２６に対して、音声のデータを、前回記録したファイルに追記するよう指示して（Ｓ１３）、処理を終了する。
【００３９】
一方、処理Ｓ１２において、前回記録除外変数Ｐが「偽」であるときには、入力された画像に代えて、予め定められた画像（例えば黒地に「作業中」という白色の文字列が記述された画像など）を記憶部２２に記録し（Ｓ１４）、前回記録除外変数Ｐを「真」に設定して（Ｓ１５）、処理を終了する。
【００４０】
また、処理Ｓ１１において、記録除外変数Ｆが「偽」であるときには、前回記録除外変数Ｐを「偽」に設定し（Ｓ１６）、記録可否決定部２４が出力する画像を記憶部１２に記録する（Ｓ１７）。
【００４１】
なお、各画像は、個々の画像の記録順を表す情報とともに記録する。例えば、各画像を個別のファイルとして、連番のファイル名を付して記録することとしてもよい。
【００４２】
音声記録部２６は、入力された音声を所定の符号のデータとして、記憶部１２に蓄積する。なお、画像を取得したことを表す信号が入力されるごとにデータを区分して、個別のファイルとして保持しても構わない。この場合、音声データの記録順を、例えばファイル名に連番を含めることなどによって表してもよい。
【００４３】
また音声記録部２６は、画像記録部２５から、前回の音声データに音声を追記するべき旨の指示を受けた場合は、新たなファイルを生成せず、最後に生成した音声データのファイルの末尾に、音声データを追加的に記録する。
【００４４】
本実施の形態は以上の構成を備えていることで、例えば次のように動作する。以下の例は、プレゼンテーションを開始し、途中で作業を行い、その後プレゼンテーションを再開して、終了するという一連の操作が行われた場合の例である。
【００４５】
この例では、図７（ａ）に示すように、当初はプレゼンテーションの開始準備のため、背景となる画像や他のウィンドウが表示された状態にある（Ｓ２１）。プレゼンテーションが開始されると、スライドショーの画像がフルスクリーンで表示され（Ｓ２２，Ｓ２３）、そして作業に入ると、再び背景となる画像や他のウィンドウが表示される（Ｓ２４，Ｓ２５）。その後、プレゼンテーションが再開されると、スライドショーの画像がフルスクリーン表示されて（Ｓ２６，Ｓ２７）、プレゼンテーション終了時には、背景や他のウィンドウが表示された状態となる（Ｓ２８）。
【００４６】
そこで本実施の形態の情報記録装置１では、背景となる画像を対象外画像として保持させておく。すると、背景となる画像や他のウィンドウが表示されている状態では、対象外画像に一致するものと判断されることとなる。上の例では具体的にＳ２１，Ｓ２４，Ｓ２５，Ｓ２８の画像が対象外画像と判断され、当該画像に代えて、「作業中」の文字の画像などが記録される。
【００４７】
また、Ｓ２４の画像に代えて「作業中」の画像が記録される際に、前回記録除外変数Ｐが「真」にセットされるので、Ｓ２５の時点での音声データ（Ａ５）は、Ｓ２４の音声データのファイル末尾に追記されることとなる（図７（ｂ））。
【００４８】
なお、ここまでの説明では、対象外画像に一致すると判断される画像に代えて記録される画像は、一種類であるとして説明したが、これに限らず、事前に定められた複数の画像のいずれか、または事前に定められた規則に従って生成される画像としても構わない。例えば、対象外画像ごとに、代替として記録されるべき画像を表す情報（画像そのものを特定する情報、または画像を生成するための規則）を関連づけて保持させておいてもよい。そして、情報記録装置１は、取得した画像が、いずれかの対象外画像に一致すると判断したときに、当該一致すると判断された対象外画像に関連づけられている情報に基づいて代替として記録するべき画像を生成、または読み出して、当該代替として記録するべき画像を、取得した画像に代えて記録する。
【００４９】
このようにする場合は、例えばプレゼンテーションソフトウエアのウィンドウが表示されている場合には「作業中」の文字を含む画像を代替として記録し、背景の画像が表示されている場合は「談話中」などの文字を含む画像を代替として記録してもよい。
【００５０】
また、画像記録部２５は、記録可否決定部２４から画像の入力を受けたときに、図６に示す処理に代えて、次の図８に示す処理を行ってもよい。すなわち画像記録部２５は、記録除外変数Ｆを参照して、「真」であるか否かを判断する（Ｓ３１）。そして記録除外変数Ｆが「真」であると、記憶部１２を参照して前回記録した音声ファイルがあるか否かを調べ（Ｓ３２）、前回記録した音声ファイルがなければ（つまり記録開始直後の音声データであれば）、音声記録部２６に対して、音声のデータを、次回記録するファイルの先頭部分に追記するよう指示して（Ｓ３３）、処理を終了する。
【００５１】
一方、処理Ｓ３２において、前回記録した音声ファイルがあれば、音声記録部２６に対して、音声のデータを、前回記録したファイルの末尾部分に追記するよう指示して（Ｓ３４）、処理を終了する。
【００５２】
また、処理Ｓ３１において、記録除外変数Ｆが「偽」であるときには、記録可否決定部２４が出力する画像を記憶部１２に記録する（Ｓ３５）。
【００５３】
この場合、音声記録部２６は、次回記録する音声ファイルの先頭に追記するべき指示があった場合は、入力された音声データを一時的に保持しておき、音声ファイルを生成した後に、当該音声ファイルの先頭部分に、保持した音声データを追加して音声ファイルを更新する。
【００５４】
この例によると、図７（ａ）に示した例の表示が行われた場合は、図７（ｃ）に示すようになる。すなわち、先頭のＳ２１に対応する画像は記録されず、その際の音声データＡ１は、後続する音声データＡ２とともに一つのファイルに記録される。また、対応する画像のない音声データＡ４，Ａ５，Ａ８等は、先行して記録される音声ファイルに追記される。
【００５５】
本実施の形態では、このように複数の音声データを一つの音声ファイルに含める場合は、当該ファイルの名称において、音声データの再生順を表す連番を、順番に連結して、例えば「Ａ１Ａ２」などとすればよい。
【００５６】
こうして記録された画像及び音声は、ファイル名の連番に従って次のように再生される。すなわち、まず連番「１」を含む画像、音声のファイルを検索する。そして検索によって見出されたファイルを再生する。図７（ｂ）に示した例によれば、画像Ｉ１（「作業中」の画像）と、音声Ａ１とが再生される。双方の再生が完了すると、次の連番「２」を含む画像、音声のファイルを検索する。そして検索によって見出されたファイルを再生する。以下、この処理を繰り返す。
【００５７】
同様に、図７（ｃ）に示した例によれば、音声Ａ１を含む「Ａ１Ａ２」の名称の音声ファイルが再生され、画像の場合は、画像Ｉ１が存在しないので、音声Ａ２に対応する画像Ｉ２を再生する。
【００５８】
以上の本実施の形態の説明では、情報記録装置１は、パーソナルコンピュータ２と別体の装置として説明したが、一体的に構成されてもよい。その場合、制御部１１は、パーソナルコンピュータ２のプロセッサとしてもよい。またプログラムを記憶するメモリや、記憶部１２は、パーソナルコンピュータ２のメモリやハードディスクなどとすればよい。
【００５９】
さらに、この情報記録装置１は、プロジェクタ（投影装置）など、パーソナルコンピュータ２等から映像信号の入力を受けて、当該映像信号を投影する装置と一体的に構成されてもよい。
【００６０】
次に、本発明の第２の実施の形態に係る情報提供装置について説明する。本実施の形態の情報提供装置３は、図９に例示するように、制御部１１、記憶部１２、インタフェース部（Ｉ／Ｆ部）１３、及び通信部１４を含んで構成されている。また、この情報提供装置３は、パーソナルコンピュータ２等に接続される。なお、第１の実施の形態に係る情報記録装置と同等の構成となるものについては、同じ符号を付しており、以下において説明を省略して、相違する動作についてのみ説明することとする。
【００６１】
本実施の形態では、第１の実施の形態に係る情報記録装置に比べ、制御部１１での動作が少々異なる。すなわち、この制御部１１は、パーソナルコンピュータ２が出力する画像や音声を取得する。そして当該取得した画像が予め定めた対象外の画像であるか否かを判断して、提供するべき画像であるか否かを決定する。制御部１１は、この決定に従って、提供するべき画像と決定した画像については、音声とともに、通信部１４を介して配信する。この本実施の形態の制御部１１の動作については、後に詳しく述べる。
【００６２】
通信部１４は、例えばネットワークインタフェースなどであり、ネットワークなどの通信手段を介して、外部のクライアント機器に対して画像や音声の情報を配信して提供する。
【００６３】
本実施の形態の情報提供装置３は、制御部１１のソフトウエア的な処理によって機能的には、図１０に示すように、対象外画像登録部２１と、対象外画像保持部２２と、画像・音声取得部２３と、配信可否決定部４１と、画像配信部４２と、音声配信部４３とを含んで構成される。
【００６４】
配信可否決定部４１は、取得された画像の入力を受け入れると、図１１に示すように、当該画像を一時的に記憶（バッファ）する（Ｓ４１）。また、その画像が提供されている間に入力される音声についても一時的に保持（バッファ）するよう、音声配信部４３に指示する（Ｓ４２）。そして配信可否決定部４１は、当該一時的に記憶した画像と、対象外画像保持部２２に保持されている対象外画像とを比較する（Ｓ４３）。この処理Ｓ４３における処理の詳しい内容は、第１の実施の形態の情報記録装置１における比較の処理と同じであるので、詳しい説明を省略する。なお、対象外画像保持部２２に複数の対象外画像が保持されている場合は、そのそれぞれと比較する。
【００６５】
そして、配信可否決定部４１は、一時的に記憶した画像と、対象外画像保持部２２に保持されている対象外画像とが一致したと判断された場合は、予め定められた画像（例えば「作業中」などの文字列を記述した画像）を配信し（Ｓ４４）、音声配信部４３に対して一時的に保持している音声の配信を開始するよう指示する（Ｓ４５）。
【００６６】
また、処理Ｓ４３において、一時的に記憶した画像と、対象外画像保持部２２に保持されている対象外画像とが一致しないと判断したときには、一時的に保持した画像の配信を開始する（Ｓ４６）とともに、処理Ｓ４５へ移行して、音声配信部４３に対して一時的に保持している音声の配信を開始するよう指示する。
【００６７】
画像配信部４２は、画像の配信が開始されると、一時的に保持されていた画像を所定のフォーマットで通信部１４を介して画像を配信する。
【００６８】
音声配信部４３は、入力される音声データを一時的に保持するべき指示を受けると、入力される音声データを記憶部１２等に蓄積して保持する。また、この音声配信部４３は、音声データを配信するべき旨の指示を受けると、保持している音声データを、所定のフォーマットにて、保持した順に、通信部１４を介して配信する。
【００６９】
なお、ここでは音声の配信についても、対応して表示されるべき画像の配信を待って配信するように制御しているが、音声については、入力された時点でそのままストリーミング配信しても構わない。
【００７０】
さらに、ここでは画像を配信する場合を例として説明したが、配信することに代えて、例えば画像を表示または投影してもよい。この場合は、通信部１４は必ずしも必要でない。
【００７１】
また本実施の形態においても、対象外画像に一致すると判断される画像に代えて記録される画像は、事前に定められた複数の画像のいずれか、または事前に定められた規則に従って生成される画像としても構わない。すなわちここでも対象外画像ごとに、代替として記録されるべき画像を表す情報（画像そのものを特定する情報、または画像を生成するための規則）を関連づけて保持させておく。そして、情報提供装置３は、取得した画像が、いずれかの対象外画像に一致すると判断したときに、当該一致すると判断された対象外画像に関連づけられている情報に基づいて代替として記録するべき画像を生成、または読み出して、当該代替として記録するべき画像を、取得した画像に代えて提供する。
【００７２】
さらに、本発明の第３の実施の形態に係る情報提供装置３′は、図１２に示すように、制御部１１、記憶部１２、及び出力部１５を含んで構成される。なお、第２の実施の形態に係る情報提供装置と同等の構成となるものについては、同じ符号を付しており、以下において説明を省略して、相違する動作についてのみ説明することとする。
【００７３】
本実施の形態の情報提供装置３′は、第２の実施の形態のものと比べて、制御部１１での動作が少々異なる。すなわち、この制御部１１は、第２の実施の形態の情報提供装置３に接続されていたパーソナルコンピュータ２としての機能を併せて提供する。
【００７４】
つまり、本実施の形態の制御部１１は、利用者の指示に従って、画像や音声を出力する。また、この制御部１１は、当該出力する画像が予め定めた対象外の画像であるか否かを判断して、提供するべき画像であるか否かを決定する。制御部１１は、この決定に従って、提供するべき画像と決定した画像については、音声とともに、出力部１５を介して外部に出力することとなる。
【００７５】
ここで出力部１５は、例えば映像、音声端子などであってもよいし、ディスプレイであってもよい。またネットワークインタフェースなどの通信手段であっても構わない。ネットワークインタフェースなどの場合は、画像や音声の情報を相手方へ送出することとなる。
【００７６】
本実施の形態の情報提供装置３′は機能的には、図１３に示すように、対象外画像登録部２１と、対象外画像保持部２２と、画像・音声取得部２３と、出力可否決定部４１′と、画像出力部４２′と、音声出力部４３′とを含んで構成される。
【００７７】
出力可否決定部４１′は、出力の対象となった画像を一時的に記憶（バッファ）する。また、その画像が提供されている間に入力される音声についても一時的に保持（バッファ）するよう、音声出力部４３′に指示しておく。
【００７８】
出力可否決定部４１′は、当該一時的に記憶した画像と、対象外画像保持部２２に保持されている対象外画像とを比較する。この処理の詳しい内容は、第１の実施の形態の情報記録装置１における比較の処理と同じであるので、詳しい説明を省略する。なお、対象外画像保持部２２に複数の対象外画像が保持されている場合は、そのそれぞれと比較する。
【００７９】
出力可否決定部４１′は、一時的に記憶している出力の対象となる画像と、対象外画像保持部２２に保持されている対象外画像とが一致したと判断された場合は、予め定められた画像（例えば「作業中」などの文字列を記述した画像）を出力し、音声出力部４３′に対して一時的に保持している音声の出力を開始するよう指示する。
【００８０】
また、出力可否決定部４１′は、一時的に記憶した出力対象の画像と、対象外画像保持部２２に保持されている対象外画像とが一致しないと判断したときには、一時的に保持した画像を出力するとともに、音声出力部４３′に対して一時的に保持している音声の出力を開始するよう指示する。
【００８１】
画像出力部４２′は、画像の出力の指示を受けて、一時的に保持されていた画像を、所定のフォーマットで出力部１５を介して出力する。
【００８２】
音声出力部４３′は、入力される音声データを一時的に保持するべき指示を受けると、入力される音声データを記憶部１２等に蓄積して保持する。また、この音声出力部４３′は、音声データを出力するべき旨の指示を受けると、保持している音声データを、所定のフォーマットにて、保持した順に、出力部１５を介して出力する。
【００８３】
また本実施の形態においても、対象外画像に一致すると判断される画像に代えて記録される画像は、事前に定められた複数の画像のいずれか、または事前に定められた規則に従って生成される画像としても構わない。すなわちここでも対象外画像ごとに、代替として記録されるべき画像を表す情報（画像そのものを特定する情報、または画像を生成するための規則）を関連づけて保持させておく。そして、情報提供装置３は、取得した画像が、いずれかの対象外画像に一致すると判断したときに、当該一致すると判断された対象外画像に関連づけられている情報に基づいて代替として記録するべき画像を生成、または読み出して、当該代替として記録するべき画像を、取得した画像に代えて提供する。
【００８４】
さらに本実施の形態において、画像や音声を記憶部１２に保持させているが、これに代えて、外部のメモリデバイス（図示せず）に保持させるようにしても構わない。
【図面の簡単な説明】
【００８５】
【図１】本発明の第１の実施の形態に係る情報記録装置の構成ブロック図である。
【図２】本発明の第１の実施の形態に係る情報記録装置が記録する画像、音声の情報の例を表す説明図である。
【図３】本発明の第１の実施の形態に係る情報記録装置に入力される画像の例を表す説明図である。
【図４】本発明の第１の実施の形態に係る情報記録装置の例を表す機能ブロック図である。
【図５】本発明の第１の実施の形態に係る情報記録装置の画像の記録の可否を判断する処理例を表すフローチャート図である。
【図６】本発明の第１の実施の形態に係る情報記録装置での画像、音声のデータ記録の処理例を表すフローチャート図である。
【図７】本発明の第１の実施の形態に係る情報記録装置の動作例を表す説明図である。
【図８】本発明の第１の実施の形態に係る情報記録装置での画像、音声のデータ記録の処理の別の例を表すフローチャート図である。
【図９】本発明の第２の実施の形態に係る情報提供装置の構成ブロック図である。
【図１０】本発明の第２の実施の形態に係る情報提供装置の例を表す機能ブロック図である。
【図１１】本発明の第２の実施の形態に係る情報提供装置の動作例を表すフローチャート図である。
【図１２】本発明の第３の実施の形態に係る情報提供装置の構成ブロック図である。
【図１３】本発明の第３の実施の形態に係る情報提供装置の例を表す機能ブロック図である。
【符号の説明】
【００８６】
１  情報記録装置、２  パーソナルコンピュータ、３，３′  情報提供装置、１１  制御部、１２  記憶部、１３  インタフェース部、１４  通信部、１５  出力部、２１  対象外画像登録部、２２  対象外画像保持部、２３  画像・音声取得部、２４  記録可否決定部、２５  画像記録部、２６  音声記録部、４１  配信可否決定部、４２  画像配信部、４３  音声配信部、４１′  出力可否決定部、４２′  画像出力部、４３′  音声出力部。
【図１】
2008252725.tif 000003
【図２】
2008252725.tif 000004
【図３】
2008252725.tif 000005
【図４】
2008252725.tif 000006
【図５】
2008252725.tif 000007
【図６】
2008252725.tif 000008
【図７】
2008252725.tif 000009
【図８】
2008252725.tif 000010
【図９】
2008252725.tif 000011
【図１０】
2008252725.tif 000012
【図１１】
2008252725.tif 000013
【図１２】
2008252725.tif 000014
【図１３】
2008252725.tif 000015